(57)【要約】      （修正有）【課題】価格を上げることなく軽量化を達成できるとともに、加工工数を低く抑えることができ、更に、交換を容易としたテンプルを提供すること。【解決手段】メガネ１のヨロイ４に連結されるテンプル５であり、テンプル本体とテンプル本体をメガネ１のヨロイ４に可動自在に連結するための蝶番部材とで構成され、テンプル本体は、中空のパイプ状に形成されるとともに、先端にいくに従いテーパー状に径を小さくしたテーパー部６０１を有し、蝶番部材は、複数の屈曲部を形成することで弾性力を備えるとともにテンプル本体の基端側の内部に抜き出し可能に挿入係止された挿入部と、ヨロイ４に回動自在に連結されたテンプル側連結部を有しており、基端側をヨロイに連結した蝶番部材をテンプル本体の基端側の内部に挿入係止することでテンプル５をヨロイ４に連結している。【選択図】図１
2010217783.tif 000002
【特許請求の範囲】
【請求項１】
メガネ（１）のヨロイ（４）に連結されるテンプル（５）であって、
テンプル本体（６）と、該テンプル本体（６）をメガネ（１）のヨロイ（４）に可動自在に連結するための蝶番部材（７）とで構成され、
前記テンプル本体（６）は、中空のパイプ状に形成され、
前記蝶番部材（７）は、複数の屈曲部（９０２、９０４、９０６、９０８）を形成することで弾性力を備えるとともに前記テンプル本体（６）の基端側の内部に抜き出し可能に挿入係止された挿入部（９）と、該挿入部（９）の基端側に形成した、前記メガネのヨロイ（４）に回動自在に連結されたテンプル側連結部（１０）を有した、ことを特徴とするメガネ用テンプル。
【請求項２】
前記テンプル本体（６）は、先端にいくに従い徐々に細くなるようにテーパー状に径を小さくしたテーパー部（６０１）を有していることを特徴とする請求項１に記載のメガネ用テンプル。
【請求項３】
前記挿入部（９）は、前記テンプル側連結部（１０）から直線状に伸びた直線部（９０１）と、第一屈曲部（９０２）を介して、前記直線部（９０１）の先端部に、テンプル先端側の斜め上方に向けて連設した第一傾斜部（９０３）と、第二屈曲部（９０４）を介して、前記第一傾斜部（９０３）の先端に、水平方向に連設した、所定長延びた水平部（９０５）と、第三屈曲部（９０６）を介して、前記水平部（９０５）の先端に、テンプル先端側の斜め下方に向けて連設した第二傾斜部（９０７）と、第四屈曲部（９０８）を介して、前記第二傾斜部（９０６）の先端に、テンプル先端側の斜め上方に向けて連設した第三傾斜部（９０９）と、を具備したことを特徴とする請求項１又は請求項２に記載のメガネ用テンプル。
【請求項４】
前記テンプル本体（６）に、前記蝶番部材（７）の一部（９０５）が嵌合する嵌合孔（６０２）を形成した、ことを特徴とする請求項１乃至請求項３のいずれかに記載のメガネ用テンプル。
【発明の詳細な説明】
【技術分野】
【０００１】
本発明はメガネ用テンプルに係り、より詳しくは、軽量で加工が容易で、更に交換を容易にしたメガネ用テンプルに関する。
【背景技術】
【０００２】
周知のように、メガネは一般的に、レンズが取り付けられたリムの両端側にそれぞれ備えられたヨロイに、蝶番を介してテンプルが折りたたみ自在に連結されているが、従来のテンプルは、無垢材を加工して製造しているために重いという問題点があった。
【０００３】
この点、低比重の材料であるチタン等を用いることで軽量化を図ることは可能だが、チタン等は高価であるため、それにより、メガネの価格も上げざるを得ないという問題点があるため、量産品の場合には、廉価だが比重の重い材料を用いているのが現状である。
【０００４】
また、前述したように、メガネはリムの両端に蝶番を介してテンプルを連結しているが、このとき、テンプルとして無垢の材料を用いた場合には、蝶番に取り付けるため、テンプルの長手方向に向けて穴あけ加工等をする必要があるので、加工工程が多くならざるを得ないという問題点も指摘される。
【０００５】
更に、メガネを購入するに際して、店頭で好みのテンプルを選べることとするとメガネ選択の幅が広がるという利点があるが、無垢材のテンプルを蝶番機構によってフレームに連結した場合には、交換が困難であるため、このような店頭で好みのテンプルを選択可能とすることができないという問題点も考えられる。
【０００６】
しかしながら、従来は、価格を上げることなく軽量化を達成し、かつ、加工工数を低くすることができ、更に交換が容易なテンプルは提供されていなかった。
【０００７】
即ち、従来は、軽量化を達成する発明、交換を容易とする発明は提案されてはいたが、価格を抑えて軽量化を達成しつつ、加工工数を低く抑え、更に交換を容易としたテンプルは提案されていなかった。
【先行技術文献】
【特許文献】
【０００８】
【特許文献１】特開２００６−３１７４７３号公報
【特許文献２】特開２０００−６６１４５号公報
【特許文献３】特開２００１−９１９０３号公報
【特許文献４】特開平７−２７０７２５号公報
【特許文献５】特開平６−３００９９０号公報
【特許文献６】特開２００８−９０４４号公報
【特許文献７】実開平５−５９４２３号公報
【特許文献８】実開平７−１９７２８号公報
【発明の概要】
【発明が解決しようとする課題】
【０００９】
本発明は、価格を上げることなく軽量化を達成できるとともに、加工工数を低く抑えることができ、更に、交換を容易としたテンプルを提供することを課題としている。
【課題を解決するための手段】
【００１０】
本発明は、メガネのヨロイに連結されるテンプルであって、
テンプル本体と、該テンプル本体をメガネのヨロイに可動自在に連結するための蝶番部材とで構成され、
前記テンプル本体は、中空のパイプ状に形成され、
前記蝶番部材は、複数の屈曲部を形成することで弾性力を備えるとともに前記テンプル本体の基端側の内部に抜き出し可能に挿入係止された挿入部と、前記メガネのヨロイに回動自在に連結された連結部を有した、ことを特徴としている。
【発明の効果】
【００１１】
本発明のメガネ用テンプルは、テンプル本体とこのテンプル本体をメガネのヨロイに可動自在に連結するための蝶番部材とで構成されており、テンプル本体を中空のパイプ状で形成するとともに、このテンプル本体の基端側に挿入係止した蝶番部材によって、テンプル本体とメガネのヨロイを連結している。そのために、価格を上げることなく、テンプルの軽量化を達成することが可能である。
【００１２】
また、テンプル本体とヨロイを連結する蝶番部材は、複数の屈曲部を形成することで弾性力を備えた挿入部を有しており、この挿入部を、その弾性力を利用してテンプル本体内に挿入係止している。そのために、テンプル本体を加工することなく、ヨロイにテンプル本体を連結することができ、加工工数を減らすことが可能であるとともに、交換も容易としている。
【図面の簡単な説明】
【００１３】
【図１】本発明のメガネ用テンプルの実施例を用いたメガネの一部を示した斜視図である。
【図２】本発明のメガネ用テンプルの実施例を用いたメガネの一部の平面図である。
【図３】本発明のメガネ用テンプルの実施例を用いたメガネの一部の側面図である
【図４】本発明のメガネ用テンプルの実施例におけるテンプル本体である。
【図５】本発明のメガネ用テンプルの実施例の分解図である。
【図６】本発明のメガネ用テンプルの実施例における蝶番部材を説明するための断面図である。
【発明を実施するための形態】
【００１４】
本発明のメガネ用テンプルは、テンプル本体を有しており、このテンプル本体は、中空のパイプ状に形成されている。
【００１５】
また、本発明のメガネ用テンプルでは、前述のテンプル本体をメガネのヨロイに可動自在に連結するための蝶番部材を有している。
【００１６】
そして、この蝶番部材は、前述したテンプル本体の基端側の内部に抜き出し自在に挿入係止された挿入部を有しており、この挿入部の基端側には、メガネのヨロイに回動自在に連結された連結部が形成されている。
【００１７】
また、蝶番部材の挿入部は、複数の屈曲部を形成することで、長手方向に略直交する方向への弾性力を備えており、この弾性力を利用して、前記テンプル本体における基端側の内部に挿入係止されている。
【００１８】
ここで、前記テンプル本体は、メガネのヨロイに連結される基端部と比較して先端部が細くなるように、テーパー状に径を小さくしたテーパー部を有した形状にするとよく、これにより、単なるパイプ材を用いた場合と異なり、全体がずんどうになることなく、見栄えを良くすることができる。
【００１９】
また、前記挿入部は、前記テンプル側連結部から直線状に伸びた直線部と、第一屈曲部を介して、前記直線部の先端部に、テンプル先端側の斜め上方に向けて連設した第一傾斜部と、第二屈曲部を介して、前記第一傾斜部の先端に、水平方向に連設した、所定長延びた水平部と、第三屈曲部を介して、前記水平部の先端に、テンプル先端側の斜め下方に向けて連設した第二傾斜部と、第四屈曲部を介して、前記第二傾斜部の先端に、テンプル先端側の斜め上方に向けて連設した第三傾斜部とで構成するとよく、これにより、弾性力を発揮することが可能となる。
【００２０】
また、前記テンプル本体に、前記蝶番部材の屈曲部の一つが嵌合する嵌合孔を形成するとよく、これにより、蝶番部材の挿入部を確実にテンプル本体内に係止することが可能となる。
【実施例１】
【００２１】
本発明のメガネ用テンプル（以下単に「テンプル」と言う。）の実施例について図面を参照して説明すると、図１乃至図３は、本実施例のテンプルを用いたメガネ１の一部を示した図であり、図１は斜視図、図２は平面、及び図３は側面を示している。
【００２２】
そして、図に示すメガネ１は、一般的なメガネと同様に、図示を省略するブリッジによって連通された一対のリム２を有しており、このリム２の内周側にはそれぞれ、メガネレンズ３が装着されている。
【００２３】
また、リム２の両端側にはそれぞれ、ヨロイ４が連設されており、このヨロイ４の先端にそれぞれ、本実施例のテンプル５が連結されている。
【００２４】
ここで、本実施例のテンプル５について図５を参照して説明すると、図５は本実施例のテンプルの取り付けの構造を説明するための分解図であり、また、図４は、テンプルを構成するテンプル本体の斜視図である。
【００２５】
そして、本実施例のテンプル５は、テンプル本体と、このテンプル本体をメガネ１のヨロイ４に取り付けるための蝶番部材とで構成されており、テンプル本体は中空とし、前記蝶番部材は、中空としたテンプル本体における基端側に挿入係止されるとともに、ヨロイに回動自在に連結されている。
【００２６】
即ち、図５において、６がテンプル本体であり、本実施例においてテンプル本体６は、四角形の角棒状の外形としており、図４からも明らかなように、内部を中空にしたパイプ状材としている。
【００２７】
また、図１乃至図３にも示されるように、長手方向に見た中間部分近傍から先端部にかけて、徐々に細くなるように、テーパー状に径を小さくしたテーパー部６０１を有しており、このテーパー部６０１の先端にモダン８を装着している。
【００２８】
更に、図５に示すように、基端部近傍の側壁部には係止孔６０２を形成しており、この係止孔６０２には、後述するように、蝶番部材７の一部を係止することとしている。
【００２９】
なお、本実施例では角棒状のパイプ材を用いたが、必ずしも角棒状にする必要はなく、丸棒状のパイプ材を用いてもよい。また、必ずしもモダン８は必要なものではなく、これを備えなくてもよい。
【００３０】
次に、図において７は、前記テンプル本体６をメガネのヨロイ４に連結するための蝶番部材である。そして、本実施例において前記蝶番部材７は、前記テンプル本体６の基端部側の内部に挿入係止される挿入部９と、この挿入部９に連設されたテンプル側連結部１０とを有しており、挿入部９を前記テンプル本体６の基端側の内部に挿入係止し、テンプル側連結部１０をメガネのヨロイ４に連結することで、本実施例のテンプル５をメガネのヨロイ４に連結することを可能としている。
【００３１】
ここで、前記蝶番部材７について詳細に説明すると、本実施例における蝶番部材７では、前記テンプル側連結部１０は、挿入部９の基端側を丸く変形させて形成しており、これにより、ピンを挿入可能な挿入孔１００１を形成している。
【００３２】
一方、本実施例のテンプル５を連結するメガネのヨロイ４では、間隔を置いて上下二段に形成した円筒形状のヨロイ側連結部４０１を先端部に有しており、このヨロイ側連結部４０１はそれぞれ、ピン１１を挿入可能な挿入孔４０２を有するとともに、ヨロイ側連結部４０１間の距離は、前記テンプル側連結部１０を挿入可能な距離としている。
【００３３】
そして、ヨロイ側連結部４０１間に前記蝶番部材７のテンプル側連結部１０を挿入し、テンプル側連結部１０とヨロイ側連結部４０１のピン挿入孔１００１、４０２を重なり合う配置にし、この状態でピン１１をピン挿入孔１００１、４０２に挿入固定することで、ヨロイ４に蝶番部材７を回動自在に連結することが可能となる。
【００３４】
次に、蝶番部材７における挿入部９について図６を参照して説明すると、本実施例において前記挿入部９は、複数の屈曲部を形成することで弾性を備えた形状としている。
【００３５】
即ち、本実施例における前記挿入部９は、平面視野で示した場合に、前記テンプル側連結部１０から直線状に伸びた直線部９０１を有しており、この直線部９０１の先端部には、第一屈曲部９０２を介してテンプル先端側の斜め上方に向けて第一傾斜部９０３が連設されている。
【００３６】
そして、第一傾斜部９０３の先端には、第二屈曲部９０４を介して水平方向に所定長延びた水平部９０５があり、この水平部９０５の先端には、第三屈曲部９０６を介して、テンプル先端側の斜め下方に向けて第二傾斜部９０７が連設されている。
【００３７】
更に、第二傾斜部９０６の先端には、第四屈曲部９０８を介して、テンプル先端側の斜め上方に向けて第三傾斜部９０９が連設されている。
【００３８】
そして、これにより、平面視野において、水平部９０５を下側に押圧した場合には、前記第一屈曲部９０２と第四屈曲部９０８間の距離が広がりながら、水平部９０５が下側に変形し、この水平部９０５の変形は、押圧を解除すると元の位置に復元可能としている。即ち、本実施例における挿入部９は、複数の屈曲部９０２、９０４、９０６、９０８を形成することで、平面視野において下方側に向けて弾性力を備えている。
【００３９】
また、本実施例においては、挿入部９を前記テンプル本体６の内部に挿入した際に、水平部９０５が下方側に変形しなければ挿入部９がテンプル本体６内に挿入できないように、第一及び第二傾斜部９０３、９０７の角度及び長さを調整している。
【００４０】
従って、本実施例における蝶番部材７では、挿入部９をテンプル本体６の内部に挿入していくと、水平部９０５が下方に変形し、挿入を継続していき、水平部９０５が嵌合孔６０２に到達した時点で、水平部９０５は、嵌合孔６０２に嵌合するとともに、元の形状に復元する。
【００４１】
そのため、本実施例のテンプル５では、テンプル本体６に孔開け等の加工を施すことなく、メガネ１のヨロイ４にテンプル５を連結することができるとともに、蝶番部材７をテンプル本体６から抜き出すことのみでテンプル本体６を交換することができるので、テンプル交換が容易で、例えば店頭で好みのテンプルを選び、選んだテンプルをヨロイに取り付けることが可能である。
【００４２】
ここで、図６は、テンプル本体６の先端部分に、テンプル側連結部１０をヨロイ４に連結した蝶番部材７の挿入部９を挿入した状態における平面視野での構造を示す断面図であり、図において下方向が水平部９０５の変形方向である。
【００４３】
但し、必ずしも平面視野において下方に変形する構造にする必要はなく、水平部９０５が変形する構造であればいずれの構造でもよい。また、必ずしも変形する部分を水平部９０５にする必要もなく、山型の形状、湾曲形状としてもよい。即ち、複数の屈曲部を形成することで弾性力を有した形状であればいずれの形状でもよい。
【００４４】
なお、図において６０３は、ヨロイ４に連結した蝶番部材７をテンプル本体６内に挿入した際に、ヨロイ４と蝶番部材７の連結部１０、４０１が挿入の邪魔にならないようにするための逃げ部であり、テンプル本体６の基端側の一部を、ヨロイ４と蝶番部材７の連結部１０、４０１の一部が挿入可能な円弧状に切り欠いている。
【００４５】
次に、このように構成される本実施例のテンプル５の作用について説明すると、本実施例のテンプル５では、テンプル本体６を中空のパイプ状で形成するとともに、このテンプル本体６の基端側の内部に蝶番部材７を挿入係止し、この蝶番部材７をメガネのヨロイ４に連結し、これにより、テンプル本体６とヨロイ４を連結することとしている。このように、本実施例のテンプル５は中空のパイプ状で形成しているとともに、蝶番部材はテンプル本体の基端側の内部に挿入係止するのみでテンプルの中空状態を維持しているため、価格を上げることなく、テンプルの軽量化を達成することが可能である。
【００４６】
そしてそのとき、本実施例のテンプル５では、テンプル本体６とメガネのヨロイ４を連結する蝶番部材７は、複数の屈曲部を形成することで弾性力を備えた挿入部９を有しており、この挿入部９を、その弾性力を利用してテンプル本体６の基端側の内部に挿入係止しているために、テンプル本体６にネジ孔等を形成する等の加工をすることが不要であり、加工工数を減らすことが可能である。
【００４７】
また、蝶番本体７の挿入部９をテンプル本体の先端側の内部に挿入係止することのみでテンプル５をヨロイ４に連結しており、テンプル本体６の取り外しを容易にしているために、例えば店頭で好みのテンプルを選び、選んだテンプルをヨロイに取り付けることが可能となる。
【００４８】
更に、テンプル本体は、先端にいくに従い細くなるように、テーパー状に径を小さくしたテーパー部６０１を有しているために、単なるパイプ材を用いた場合と異なり、全体がずんどうになることなく、見栄えを良くすることができる。
【００４９】
なお、本発明のテンプルでは、中空としたテンプル本体の基端側の内部に蝶番部材を挿入係止し、この蝶番部材をメガネのヨロイに回動自在に連結したことを特徴としているため、蝶番部材とヨロイとの連結の構造は必ずしも限定されず、前述の方法には限定されない。
【産業上の利用可能性】
【００５０】
本発明のメガネ用テンプルでは、これを用いることにより、コストを上げることなく、及び見栄えを損なうこと無くメガネ全体の重量の軽量化を達成することができるとともに、テンプルの交換も容易にすることができるため、テンプルを有するメガネの全般に適用可能である。
【符号の説明】
【００５１】
１    メガネ
２    リム
３    レンズ
４    ヨロイ
４０１    ヨロイ側連結部
４０２    ピン挿入孔
５    テンプル
６    テンプル本体
６０１    テーパー部
６０２    嵌合孔
７    蝶番部材
８    モダン
９    挿入部
９０１    直線部
９０２    第一屈曲部
９０３    第一傾斜部
９０４    第二屈曲部
９０５    水平部
９０６    第三屈曲部
９０７    第二傾斜部
９０８    第四屈曲部
９０９    第三傾斜部
１０    テンプル側連結部
１００１    ピン挿入孔
１１    ピン
【図１】
2010217783.tif 000003
【図２】
2010217783.tif 000004
【図３】
2010217783.tif 000005
【図４】
2010217783.tif 000006
【図５】
2010217783.tif 000007
【図６】
2010217783.tif 000008